(57)【要約】【課題】建物に設置された複数の照明器具を共通のリモコンによって点灯制御する照明制御システムにおいて安いコストで設置することができ、照明器具ごとに精密な点灯制御を可能にする。【解決手段】建物２内に制御器３Ａ〜３Ｄが設置され、建物２外に制御器３Ｅが設置される。各制御器３Ａ〜３Ｅに照明器具４Ａ〜４Ｅｂが有線接続される。リモコン５は、照明器具を点灯制御するための操作信号を微弱無線ＲＦａによって送信する。各制御器３Ａ〜３Ｅは、リモコン５から送信された操作信号を受信すると、その操作信号に応じた制御信号を他の制御器に対して特定小電力無線ＲＦｂによって送信する。制御信号を受信した制御器は、制御信号に含まれる点灯命令に基づいて自制御器に接続された照明器具４Ａ〜４Ｅｂを点灯制御する。リモコン５が操作信号を常時送信するときには、ユーザＵが建物２に接近するだけで予め設定された態様で各照明器具が点灯制御される。【選択図】図１
2008027822.tif 000002
【特許請求の範囲】
【請求項１】
建物に設置された複数の制御器と、前記複数の制御器によってそれぞれ点灯制御される照明器具と、前記照明器具を操作するための操作信号を前記制御器に対して送信するリモコンと、を備える照明制御システムにおいて、
前記リモコンは、前記操作信号を微弱無線により送信し、
前記制御器は、前記リモコンからの微弱無線を受信する受信手段と、前記受信手段によって受信した操作信号に応じた制御信号を他の制御器との間で特定小電力無線により送受信する送受信手段とを備え、
前記制御器相互間における前記制御信号の送受信を特定小電力無線通信によって行うことを特徴とする照明制御システム。
【請求項２】
前記制御器は、前記照明器具を点灯制御するための微弱無線による信号（以下、点灯制御信号という）を送信する送信手段をさらに備え、
前記照明器具は、微弱無線による前記点灯制御信号を受信する受信手段を備えることを特徴とする請求項１に記載の照明制御システム。
【請求項３】
前記リモコンは、前記制御器に対する前記操作信号を常時送信することを特徴とする請求項１又は請求項２に記載の照明制御システム。
【請求項４】
前記制御器の少なくとも１つが建物外に設置されていることを特徴とする請求項１乃至請求項３のいずれか一項に記載の照明制御システム。
【請求項５】
建物外に設置された前記制御器は、人感センサを備えることを特徴とする請求項４に記載の照明制御システム。
【発明の詳細な説明】
【技術分野】
【０００１】
本発明は、照明制御システムに関し、詳しくは建物に設置された複数の照明器具をリモコンの操作によって点灯制御する照明制御システムに関する。
【背景技術】
【０００２】
従来、建物に設置された複数の照明器具にはそれぞれに対応するリモコンが備えられ、ユーザは、例えば寝室の照明を点灯制御しようとするときには、寝室に入室して寝室の照明器具に対応するリモコンを操作する必要があった。
【０００３】
一方、ホームオートメーションの一環として、建物に設置された複数の照明器具を共通の１つのリモコンによって離れたところから操作できるようにするシステムが種々開発されている。
【０００４】
例えば、建物内に設置され電力線に接続された複数の照明器具に、それぞれリモコンから送信された電力線搬送信号を受信する無線アンテナと該無線アンテナによって受信された電力線搬送信号を電力線に送出する搬送送出部とが備えられ、リモコンから受信した電力線搬送信号が自照明器具に関するものである場合には、自照明器具がその電力線搬送信号に基づいて点灯制御され、リモコンから受信した電力線搬送信号が他の照明器具に関するものである場合には、電力線搬送信号が電力線へ送出されるように構成された照明システムが知られている（例えば、特許文献１参照）。
【０００５】
また、建物内に設置された複数の照明器具が点灯・消灯を切替えるスイッチング装置を介して１つの制御装置に接続され、該制御装置がリモコンからの無線信号を受信したときにスイッチング装置を点灯側へ切替えるように構成され、ユーザが建物の玄関においてリモコンを操作して制御装置へ無線信号を送信することによって、建物内の所望の場所の照明器具が点灯される不法侵入者追出システムが知られている（例えば、特許文献２参照）。
【０００６】
さらに、複数の照明器具の中の１つが親器具としてコントローラからの無線信号を受信可能に構成され、親器具は、コントローラから受信した無線信号の内容に応じて自照明器具の点灯制御を行うと共に、受信した無線信号の内容を親器具自体が有する無線送信部によって子器具へ送信するように構成されて、照明器具間の信号線が省略され、施工工事が簡単にできる照明装置が知られている（例えば、特許文献３参照）。この特許文献３に記載の照明装置では、親器具と子器具の間の無線通信に微弱無線が用いられて構成の簡単化が図られると共にコストの低減も図られている。
【特許文献１】特開２００２−２８９３７２号公報
【特許文献２】特開２００４−９５３３５号公報
【特許文献２】特開２００２−２８９３６９号公報
【発明の開示】
【発明が解決しようとする課題】
【０００７】
ところが、上記特許文献１に示される照明システムにおいては、各照明器具同士を接続する通信線が不要であるという利点はあるが、照明器具の制御信号が電力線を介して通信されるために電力線に発生するノイズによって制御信号の正常な伝達が障害される可能性があり、例えば、照明器具の多段階に亘る調光制御等の細かな制御に関しては信頼性が低いという問題があった。
【０００８】
また、上記特許文献２に示される不法侵入者追出システムにおいては、制御装置と各照明器具の間が信号線によって接続されるので配線のための設備工事が必要である上に、各照明器具は、点灯・消灯を切替えるスイッチング装置を介して制御装置に接続されているだけであるので、各照明器具において調光制御等の複雑な制御を行うことは困難である。
【０００９】
さらに、上記特許文献３に示される照明装置においては、各照明器具同士を接続する通信線が不要であるという利点はあるが、コントローラから送信される制御信号の通信経路が特定の親器具と当該親器具に対応付けられた子器具に限られているために、ユーザが任意の子器具に対して点灯制御を行うためには、まずその子器具に対応付けられた親器具へ制御信号を送信しなければならず、不便である。
【００１０】
そこで、本発明は、建物に設置された複数の照明器具をリモコンの操作によって点灯制御する照明制御システムにおいて、照明器具同士の間の通信線が不要であって大掛かりな設備工事を必要とせず安いコストで設置することができ、しかも共通のリモコンによって各照明器具ごとに調光制御等の複雑な制御を行うことができる照明制御システムを提供することを目的とする。
【課題を解決するための手段】
【００１１】
上記目的を達成するために、請求項１の発明は、建物に設置された複数の制御器と、前記複数の制御器によってそれぞれ点灯制御される照明器具と、前記照明器具を操作するための操作信号を前記制御器に対して送信するリモコンと、を備える照明制御システムにおいて、前記リモコンは、前記操作信号を微弱無線により送信し、前記制御器は、前記リモコンからの微弱無線を受信する受信手段と、前記受信手段によって受信した操作信号に応じた制御信号を他の制御器との間で特定小電力無線により送受信する送受信手段とを備え、前記制御器相互間における前記制御信号の送受信を特定小電力無線通信によって行うことを特徴とする。
【００１２】
請求項２の発明は、請求項１に記載の照明制御システムにおいて、前記制御器は、前記照明器具を点灯制御するための微弱無線による信号（以下、点灯制御信号という）を送信する送信手段をさらに備え、前記照明器具は、微弱無線による前記点灯制御信号を受信する受信手段を備えることを特徴とする。
【００１３】
請求項３の発明は、請求項１又は請求項２に記載の照明制御システムにおいて、前記リモコンは、前記制御器に対する前記操作信号を常時送信することを特徴とする。
【００１４】
請求項４の発明は、請求項１乃至請求項３のいずれか一項に記載の照明制御システムにおいて、前記制御器の少なくとも１つが建物外に設置されていることを特徴とする。
【００１５】
請求項５の発明は、請求項４に記載の照明制御システムにおいて、建物外に設置された前記制御器は、人感センサを備えることを特徴とする。
【発明の効果】
【００１６】
請求項１の発明によれば、照明器具を点灯制御する制御器同士の間の通信線が不要であって大掛かりな設備工事を必要とせず、リモコンと制御器の間の通信が微弱無線によって行われるのでその分だけリモコンの構造が簡略化されシステム全体の設置費用が抑えられる。しかも制御器相互間における制御信号の送受信が特定小電力無線によって行われるので、各照明器具の細密な調光制御等の点灯制御を確実に行うことができる。
【００１７】
請求項２の発明によれば、照明器具が制御器から送信される微弱無線によって点灯制御されるので、照明器具と制御器の間の通信線が不要であり、卓上スタンド等の移動自在な照明器具であってもリモコンからの操作によって容易に精密な調光制御等の点灯制御を確実に行うことができる。
【００１８】
請求項３の発明によれば、制御器は、リモコンを携帯するユーザが制御器に接近するだけで制御信号を送信して照明器具を制御するので、ユーザが逐一リモコンを操作する手間が省かれる。
【００１９】
請求項４の発明によれば、建物外に居るユーザが建物内の照明器具の点灯制御を行うことが可能である。
【００２０】
請求項５の発明によれば、人感センサによる人間の接近検知結果と組合わせて照明器具の制御内容を変更することができ、例えば、不審者の接近等をユーザに報知するように構成することが可能である。
【発明を実施するための最良の形態】
【００２１】
以下、本発明の一実施形態に係る照明制御システムについて図１乃至図８を参照して説明する。本実施形態の照明制御システム１は、図１に示されるように建物２内の各部屋Ａ、Ｂ、Ｃ、Ｄに設置された制御器３Ａ、３Ｂ、３Ｃ、３Ｄと、建物２の外側であってエントランスの上方に設置された制御器３Ｅと、各制御器３Ａ〜３Ｅに有線接続され制御器３Ａ〜３Ｅから送信される信号によって点灯制御される照明器具４Ａ、４Ｂ、４Ｃ、４Ｄ、４Ｅａ、４Ｅｂと、照明器具を操作するための操作信号を送信するリモコン５と、を備える。リモコン５は、ユーザＵによって携帯される。
【００２２】
各部屋Ａ、Ｂ、Ｃ、Ｄは寝室、居間、玄関等に割当てられ、各部屋の天井に照明器具４Ａ〜４Ｄが設置されている。建物２外の制御器３Ｅによって点灯制御される照明器具４Ｅａ、４Ｅｂは、門柱６の上に設置される門柱灯４Ｅａと、入口ドア７の上部に設置されるドア灯４Ｅｂである。また、全ての制御器３Ａ〜３Ｅは、同一の構成を有する。
【００２３】
次に、制御器の構成について、図２を参照して説明する。図２に示される制御器は、建物外の制御器３Ｅである。制御器３Ｅは、リモコン５から微弱無線ＲＦａによって送信される操作信号を受信する微弱無線受信回路８と、微弱無線受信回路８によって受信した操作信号を取込んで、当該操作信号が自制御器３Ｅに接続された照明器具４Ｅａ、４Ｅｂに対する操作信号である場合には、後述する調光信号ドライバ１１、１２等を介して照明器具４Ｅａ、４Ｅｂに対して当該操作信号に応じた点灯制御を行い、当該操作信号が他の制御器（他の部屋の制御器）３Ａ〜３Ｄに接続された照明器具４Ａ〜４Ｄに対する操作信号である場合には、当該操作信号に対応する制御信号を生成する制御回路１３と、制御回路１３によって生成された制御信号を特定小電力無線ＲＦｂによって送信する特定小電力無線送信回路１４と、他の制御器３Ａ〜３Ｄから送信された制御信号を受信する特定小電力無線受信回路１５を備えている。
【００２４】
リモコン５から微弱無線ＲＦａによって送信される操作信号のフォーマットが図３（ｂ）に示される。操作信号は、家ＩＤ、部屋ＩＤ、個人ＩＤ、データ種、データ長、及びデータの情報を含む。また、制御器３Ｅから特定小電力無線ＲＦｂによって送信される制御信号のフォーマットが図３（ａ）に示される。制御信号は、家ＩＤ、部屋ＩＤ、個人ＩＤ、データ種、データ長、及びデータの情報を含む。操作信号は、微弱無線ＲＦａによって送信されるので到達距離が短く建物の壁等によって大きく減衰される。制御信号は、特定小電力無線ＲＦｂによって送信されるので到達距離が比較的長い。
【００２５】
リモコン５に備えられた操作信号の送信回路２０について、図４を参照して説明する。リモコン５には、バッテリ２１によって電源供給されマイクロコンピュータによって構成される制御回路２２と、制御回路２２に接続された記憶回路２３と、微弱無線送信回路２４が備えられている。ユーザＵがリモコン５の操作キー（不図示）を操作することによって記憶回路２３に予め記憶された家ＩＤ、個人ＩＤ等の情報と操作キーの操作によって入力された情報が微弱無線送信回路２４によって操作信号のフォーマットの順に送信される。なお、リモコン５に備えられる操作信号の送信回路２０は、微弱無線によって操作信号を送信する回路であるので比較的簡単な構造であり、リモコン５自体の製造コストが抑えられる。
【００２６】
次に、図２に戻って制御器３Ｅの制御回路１３について説明する。制御器３Ｅの制御回路１３は、マイクロコンピュータから構成され、電源回路３１からの電源供給を受けて動作する。制御回路１３には、さらにＥＥＰＲＯＭ３２、及び微弱無線送信回路３３が接続されている。
【００２７】
ＥＥＰＲＯＭ３２には、操作信号及び制御信号に含まれる家ＩＤ、部屋ＩＤ、個人ＩＤ等の情報が記憶されている。各情報の具体的な内容は後述する。これらの情報は、例えばユーザＵがリモコン５を操作することによってＥＥＰＲＯＭ３２に記憶される。微弱無線送信回路３３は、いずれかの照明器具に微弱無線受信回路が備えられている場合にのみ動作する。微弱無線送信回路３３については、後述する。
【００２８】
調光信号ドライバ１１、１２は、当該制御器３Ｅに接続される照明器具４Ｅａ、４Ｅｂごとに対応して設けられ、照明器具４Ｅａが放電灯である場合には照明器具４Ｅａとの間にさらに変換器３４が備えられる。
【００２９】
次に、制御器３Ｅが照明器具４Ｅａ、４Ｅｂを点灯制御する手順について説明する。なお、以下において説明する手順は、他の制御器３Ａ〜３Ｄにおいてそれぞれ照明器具４Ａ〜４Ｄを点灯制御する手順と同様である。
【００３０】
まず、制御回路１３は、微弱無線受信回路８によって受信した操作信号（図３（ｂ））に含まれる家ＩＤがＥＥＰＲＯＭ３２内に予め記憶された家ＩＤと一致するか否かを判断し、一致する場合には次の手順に移行し、一致しない場合には、受信した操作信号が別の家の照明制御システムのリモコンから送信された操作信号であると判断して次の手順に移行しない。
【００３１】
次に、制御回路１３は、操作信号に含まれる部屋ＩＤが自制御器３Ｅが設置された部屋のＩＤ（建物外）に一致するか否かを判断し、一致する場合は、データ種、データ等の他の情報に応じて自制御器３Ｅに接続された照明器具４Ｅａ、４Ｅｂを点灯制御する。部屋ＩＤが自制御器３Ｅのものと一致しない場合は、当該操作信号の内容を部屋ＩＤに示された部屋の制御器３Ａ〜３Ｄに送信（転送）するために、当該操作信号と同一内容の制御信号（図３（ａ））を生成し、特定小電力無線送信回路１４を介して特定小電力無線ＲＦｂによって送信する。なお、部屋ＩＤには同一の部屋に設置された複数の照明器具を区別するための情報（照明器具ＩＤ）を含む場合があるものとする。
【００３２】
例えば、操作信号に含まれる部屋ＩＤが「建物外」である場合には、制御器３Ｅは、自制御器３Ｅに接続された門柱灯４Ｅａとドア灯４Ｅｂを後述する手順によって点灯制御し、部屋ＩＤが例えば、２階の寝室（部屋Ａ）である場合には、制御回路１３が生成する制御信号を特定小電力無線送信回路１４を介して特定小電力無線ＲＦｂによって送信する。
【００３３】
なお、操作信号に含まれる個人ＩＤは、当該操作信号を送信するリモコン５に固有のＩＤであり、例えば、２台のリモコン５がある場合に、各リモコン５ごとに別の個人ＩＤが設定され、それらのリモコン５を複数のユーザのうち別の人物が専用するようにして用いられる。このように取極めることによって、個人ＩＤを判別することにより操作信号が誰によって送信されたものであるかが判別できるようになっている。例えば、１台目のリモコン５はお父さんが専用し、２台目のリモコン５はお母さんが専用すると取極められた場合に、１台目のリモコン５に固有の個人ＩＤが含まれた操作信号が受信された場合には、操作者はお父さんであると判別される。
【００３４】
また、操作信号に含まれるデータ種は、主に命令コードを表し、照明器具４Ａ〜４Ｄ、４Ｅａ、４Ｅｂに対する点灯命令や消灯命令、あるいは特定出力における調光命令等を表す。操作信号に含まれるデータ長は、通信の信頼性を確保するための情報であり、データは、データ種において特定される命令の具体的制御量の情報である。例えば、データ種が光出力Ｎ％による点灯命令である場合に、データには具体的な「１０」、「２０」等の数値が入力される。つまり、データに入力された数値が「１０」であるときには、光出力１０％による点灯制御が指示されていることになる。
【００３５】
そして、操作信号に含まれるデータ種が光出力Ｎ％による点灯命令である場合に、制御回路１３は、点灯制御する対象の照明器具の種類に応じ光出力Ｎ％に対応したオンデューティ幅のＰＷＭ信号（図７参照）を出力させるように調光信号ドライバ１１、１２に対して命令信号を出力する。
【００３６】
制御回路１３には予め照明器具の種類ごとに光出力とオンデューティ幅が対応付けられたテーブル（図５参照）が予め記憶されており、制御回路１３は、操作信号に含まれる光出力の値Ｎに基づいて出力するべきオンデューティ幅を決定する。
【００３７】
例えば、各制御器３Ａ〜３Ｅに接続された照明器具４Ａ〜４Ｄ、４Ｅａ、４Ｅｂが２種類の放電灯と１種類の白熱灯で構成される場合に、制御回路１３内のメモリには、図５に示されるように３種類のテーブルＴ１、Ｔ２、Ｔ３が記憶される。図５の左側のテーブルＴ１には、第１タイプの照明器具（放電灯）について光出力とオンデューティ幅の対応が示される。第１タイプの照明器具の場合にはオンデューティ幅が１００〜９５％の区間は光出力が０％で変化せず、オンデューティ幅が９４〜５％の区間において光出力がオンデューティ幅の変化に比例して変化し、オンデューティ幅が５％以下の区間において光出力が１００％で一定である。
【００３８】
同様に図５の中央に示される第２タイプの照明器具（放電灯）の場合には、オンデューティ幅が１００〜９０％の区間は光出力が１０％で変化せず、オンデューティ幅が８９〜５％の区間において光出力がオンデューティ幅の変化に比例して変化し、オンデューティ幅が５％以下の区間において光出力が１００％で一定である。
【００３９】
同様に図５の右側に示される第３タイプの照明器具（白熱灯）の場合には、オンデューティ幅が１００〜０％の区間において光出力がオンデューティ幅の変化に比例して変化する。
【００４０】
従って、操作信号に含まれる情報が、建物外（部屋ＩＤ）の照明器具４Ｅａ、４Ｅｂについて光出力Ｎ％における点灯命令（データ種）であり、出力値（データ）が「１０」であって、門柱灯４Ｅａとドア灯４Ｅｂがそれぞれ第１タイプの照明器具と第３タイプの照明器具である場合には、制御回路１３は、門柱灯４Ｅａについては第１タイプの照明器具に関するテーブルＴ１を参照して門柱灯４Ｅａの調光信号ドライバ１１に対してオンデューティ幅８５％の命令信号を出力し、ドア灯４Ｅｂについては第３タイプの照明器具に関するテーブルＴ３を参照してドア灯４Ｅｂの調光信号ドライバ１２に対してオンデューティ幅９０％の命令信号を出力する。
【００４１】
上記命令信号を入力された調光信号ドライバ１１は、オンデューティ幅８５％のＰＷＭ信号を門柱灯４Ｅａに対して出力し、調光信号ドライバ１２は、オンデューティ幅９０％のＰＷＭ信号をドア灯４Ｅｂに対して出力する。
【００４２】
ＰＷＭ信号の一例が図７に示される。ＰＷＭ信号は、周期Ｔの区間においてオンデューティ区間がｔ１で示され、オンデューティ幅（％）は、ｔ１／Ｔ×１００である。
【００４３】
なお、制御回路１３内のメモリには、図６に示される表形式のテーブルＴ１、Ｔ２、Ｔ３に代えて図６に示されるようなグラフ形式のテーブルＴｇが記憶されていてもよい。
【００４４】
また、調光信号ドライバ１１と門柱灯４Ｅａの間には変換器３４が設けられ、調光信号ドライバ１１が出力するＰＷＭ信号に応じた所定の位相制御が施された電圧が門柱灯４Ｅａへ出力される。
【００４５】
変換器３４は、図８に示されるように商用電源に接続された電源回路４１と、電源回路４１によって電源供給を受ける制御回路４２と、制御回路４２によって制御され商用電源に所定の位相制御を施す位相制御回路４３と、調光信号ドライバ１１から入力されるＰＷＭ信号の制御回路４２へのインタフェイスである調光信号入力回路４４とを備える。
【００４６】
リモコン５から送信される操作信号に含まれる部屋ＩＤが、自制御器３Ｅが設置された部屋のＩＤ（建物外）と一致する場合には、制御器３Ｅは、以上の手順によって自制御器３Ｅに接続された門柱灯４Ｅａとドア灯４Ｅｂを共に光出力１０％で点灯制御する。
【００４７】
一方、リモコン５から送信される操作信号に含まれる部屋ＩＤが、自制御器３Ｅが設置された部屋のＩＤと異なる場合には、制御器３Ｅは、当該操作信号と同一内容の情報を含む制御信号（図３（ａ））を生成して特定小電力無線ＲＦｂによってブロードキャスト送信する。
【００４８】
制御信号に含まれる部屋ＩＤが、例えば２階の寝室の部屋ＩＤ（部屋Ａ）である場合には、２階の寝室に設置された制御器３Ａが特定小電力無線受信回路１５によって当該制御信号を受信して、制御器３Ａに接続された照明器具４Ａを当該制御信号に応じて点灯制御する。
【００４９】
例えば、制御器３Ｅから送信された制御信号が光出力２０％での点灯命令を含む場合には、２階の寝室の制御器３Ａは、上記制御器３Ｅと同様の手順で照明器具４Ａを光出力２０％で点灯制御する。
【００５０】
従って、リモコン５を携帯しているユーザＵが、例えば１階の玄関（部屋Ｄ）に居ながら玄関に設置された制御器３Ｄに対して操作信号を送信し、２階の寝室（部屋Ａ）の照明器具４Ａを点灯制御することが可能であるし、建物の外に居るユーザＵが建物外に設置された制御器３Ｅに対して操作信号を送信して玄関（部屋Ｄ）の照明器具４Ｄを点灯制御すること等が可能である。また、制御器３Ａ〜３Ｅ相互間において授受される制御信号は、特定小電力無線ＲＦｂによって送受信されるので、部屋間の壁によっても障害されることが少なく、ユーザＵが指定した照明器具４Ａ〜４Ｄ、４Ｅａ、４Ｅｂが正確に制御される。
【００５１】
また、建物外に設置された制御器３Ｅは、次に示す特別なモードに設定可能に構成され、リモコン５は、予め内容が決められた一定の操作信号を所定時間間隔で自動的に送信するように構成されることによって、外出から帰宅したユーザＵが自宅（建物）２に接近するだけで所定の部屋の照明器具４Ａ〜４Ｄが点灯される等のユーザの帰宅時用の特別な制御が可能になる。
【００５２】
具体的には、リモコン５は、例えば、家ＩＤのみに情報が入力され、他の情報項目はブランク又はゼロ、Ｚ等のニュートラルな記号が入力された特別な操作信号（以下、特別操作信号という）を所定時間間隔（例えば１分間隔）で自動的に送信されるように構成される。
【００５３】
また、建物外に設置された制御器３Ｅは、微弱無線受信回路８によって受信された操作信号が特別操作信号であると判別した場合に、ＥＥＰＲＯＭ３２に予め記憶された部屋ＩＤ、データ種及びデータを含む特別な制御信号（以下、特別制御信号という）を生成し、特定小電力無線送信回路１４を介して送信するように構成される。
【００５４】
特別制御信号としては、例えば、部屋ＩＤが玄関（部屋Ｄ）であり、データ種が光出力Ｎ％による点灯命令であり、データが「５０」等である。
【００５５】
建物外の制御器３Ｅとリモコン５が上記のように構成されることによって、ユーザＵが自宅（建物）２に接近すると、ユーザＵの携帯するリモコン５から常時（一定時間間隔で）送信されている特別操作信号が建物外の制御器３Ｅによって受信される。次に、制御器３Ｅは、特別制御信号をブロードキャスト送信し、特別制御信号に含まれる部屋ＩＤ（例えば、部屋Ｄ）の制御器３Ｄが動作して、特別制御信号に含まれる命令内容通りに照明器具４Ｄを点灯制御する。上記の例であれば、玄関の照明器具４Ｄが光出力５０％で点灯制御される。
【００５６】
また、上記の例では特別操作信号の家ＩＤのみに情報が入力されたが、家ＩＤに加えて個人ＩＤにも情報が入力され、当該特別操作信号を受信した建物外の制御器３Ｅが、当該特別操作信号が誰によって（誰の専用するリモコン５によって）送信されたかが判別可能に構成することにより、ユーザＵが自宅（建物）２に接近したときに自動的に点灯制御される照明器具４Ａ〜４Ｄ、及び光出力の大きさ等をユーザＵごとに変更することができる。
【００５７】
例えば、お父さんがお父さん専用のリモコン５を携帯して自宅（建物）２に接近したときには、玄関（部屋Ｄ）の照明器具４Ｄが光出力５０％で点灯し、お母さんがお母さん専用のリモコン５を携帯して自宅（建物）２に接近したときには、寝室（部屋Ａ）の照明器具４Ａが光出力２０％で点灯するように構成できる。
【００５８】
また、本実施形態の変形例として、図９に示されるように、建物２外の制御器３Ｅに焦電式赤外線センサ等から構成される人感センサ４１を備え防犯機能を有する照明制御システム１とすることができる。
【００５９】
具体的には、建物２外の制御器３Ｅに、人感センサ４１からの人体検出信号と制御器３Ｅ自体が受信する操作信号を組合わせて判定することによって、不審者Ｓの接近を検知し、不審者Ｓの接近を検知した場合には自制御器３Ｅに接続されたドア灯４Ｅｂをフラッシュ点灯させて不審者を威嚇したり、他の制御器３Ａに制御信号を送信して寝室（部屋Ａ）の照明器具４Ａを点灯させて寝室で就寝中のユーザＵに不審者Ｓの接近を報知する機能が付加される。
【００６０】
さらに説明すると、本変形例における建物２外の制御器３Ｅは、人感センサ４１からの人体検出信号を検出したときに、リモコン５からの操作信号を受信しているか否かを判断し、操作信号を受信している場合には、その操作信号に含まれる家ＩＤ、個人ＩＤ等が自制御器３ＥのＥＥＰＲＯＭ３２内に記憶されたものと一致する正しいＩＤか否かを判断する。そして、受信した操作信号の家ＩＤ等が正しいものである場合以外には、ドア灯４Ｅｂをフラッシュ点灯させる等の制御を行う。
【００６１】
さらに、別の変形例として、図１０に示されるように、複数の照明器具のうちいくつかが制御器３Ｃ、３Ｄに無線接続される移動自在なスタンド型照明器具４Ｆ、４Ｇである場合を説明する。
【００６２】
本変形例におけるスタンド型照明器具４Ｆ、４Ｇは、図１１に示されるように電源回路５１によって電源供給される制御回路５２と、制御回路５２に接続される微弱無線送信回路５３、及び微弱無線受信回路５４と、制御回路５２が出力する制御信号によって点灯制御される照明負荷（蛍光管）５５と、照明負荷５５のドライブ回路としての点灯制御回路５６と、制御回路５２に接続されたＥＥＰＲＯＭ５７と、を備える。ＥＥＰＲＯＭ５７には、家ＩＤ、部屋ＩＤに加えて自照明器具のＩＤが記憶されている。
【００６３】
ユーザＵが、例えば図１０に示されるように１階の左側の部屋（部屋Ｂ）に居て２階の右側の部屋（部屋Ｃ）のスタンド型照明器具４Ｆを点灯しようとする場合には、ユーザＵは、リモコン５を操作して部屋ＩＤとして２階の右側の部屋（部屋Ｃ）のＩＤを入力し、部屋ＩＤに追加する形式でスタンド型照明器具４ＦのＩＤを入力する。そして、ユーザＵはリモコン５を操作して操作信号を制御器３Ｂに対して微弱無線ＲＦａにより送信する。操作信号の一例が図１２に示される。この操作信号のデータ種には、例えば、光出力Ｎ％による点灯命令、データには具体的な数値の「１０」「２０」等が入力される。
【００６４】
１階の左側の部屋（部屋Ｂ）の制御器３Ｂは、操作信号を受信した後、当該操作信号に応じて同一内容の制御信号を生成し、その制御信号を特定小電力無線によってブロードキャスト送信する。
【００６５】
２階の右側の部屋（部屋Ｃ）の制御器３Ｃは、制御器３Ｂから送信された制御信号を受信すると、微弱無線送信回路３３（図２参照）を介してスタンド型照明器具４Ｆを点灯制御するための点灯制御信号を微弱無線ＲＦａによって送信する。
【００６６】
スタンド型照明器具４Ｆは、制御器３Ｃから送信された点灯制御信号を微弱無線受信回路５４によって受信し、その点灯制御信号に応じて照明ランプ５５を点灯制御する。
【００６７】
以上のように、本実施形態の照明制御システムによれば、照明器具４Ａ〜４Ｄ、４Ｅａ、４Ｅｂを点灯制御する制御器３Ａ〜３Ｅ同士の間の通信線が不要であって大掛かりな設備工事を必要とせず、リモコン５と各制御器３Ａ〜３Ｅの間の通信は、微弱無線ＲＦａによって行われるのでその分だけリモコン５の構造が簡単化されシステム全体の設置費用が抑えられる。しかも、制御器３Ａ〜３Ｅ相互間における制御信号の送受信が特定小電力無線ＲＦｂによって行われるので、各照明器具４Ａ〜４Ｄ、４Ｅａ、４Ｅｂの細密な調光制御等の点灯制御を確実に行うことができる。
【図面の簡単な説明】
【００６８】
【図１】本発明の一実施形態に係る照明制御システムの概略構成を示す説明図。
【図２】同照明制御システムにおける制御器の電気的構成を示すブロック図。
【図３】（ａ）は同照明制御システムにおける制御信号のフォーマットを示す図、（ｂ）は同照明制御システムにおける操作信号のフォーマットを示す図。
【図４】同照明制御システムにおけるリモコンの備える操作信号送信回路の電気的構成を示すブロック図。
【図５】同照明制御システムにおける制御器に記憶された光出力とオンデューティ幅の対応関係を示す表形式のテーブルの説明図。
【図６】同照明制御システムにおける制御器に記憶された光出力とオンデューティ幅の対応関係を示すグラフ形式のテーブルの説明図。
【図７】同照明制御システムにおける調光信号ドライバから出力されるＰＷＭ信号の例を示す図。
【図８】同照明制御システムにおける変換器の電気的構成を示すブロック図。
【図９】同照明制御システムにおける変形例の概略構成を示す説明図。
【図１０】同照明制御システムにおけるさらに別の変形例の概略構成を示す説明図。
【図１１】同変形例におけるスタンド型照明器具の電気的構成を示すブロック図。
【図１２】同変形例における操作信号のフォーマットを示す図。
【符号の説明】
【００６９】
１  照明制御システム
２  建物
３Ａ、３Ｂ、３Ｃ、３Ｄ、３Ｅ  制御器
４Ａ、４Ｂ、４Ｃ、４Ｄ、４Ｅａ、４Ｅｂ、４Ｆ、４Ｇ  照明器具
５  リモコン
８  微弱無線受信回路（微弱無線を受信する受信手段）
１４  特定小電力無線送信回路（特定小電力無線により送受信する送受信手段）
１５  特定小電力無線受信回路（特定小電力無線により送受信する送受信手段）
２０  操作信号の送信回路
４１  人感センサ
ＲＦａ  微弱無線
ＲＦｂ  特定小電力無線
【図１】
2008027822.tif 000003
【図２】
2008027822.tif 000004
【図３】
2008027822.tif 000005
【図４】
2008027822.tif 000006
【図５】
2008027822.tif 000007
【図６】
2008027822.tif 000008
【図７】
2008027822.tif 000009
【図８】
2008027822.tif 000010
【図９】
2008027822.tif 000011
【図１０】
2008027822.tif 000012
【図１１】
2008027822.tif 000013
【図１２】
2008027822.tif 000014